(57)【要約】【課題】カバー部材を小型化すること。また、異物が落下した場合でも記録材の搬送不良を起こさないこと。【解決手段】鉛直に配置され、画像記録装置の動作を制御する制御基板と、前記制御基板を装置背面側から覆うカバー部材と、を有する画像記録装置において、前記制御基板における実装部の鉛直方向下方側全域には貫通長穴が設けられ、前記カバー部材の底面には、前記貫通長穴を貫通して前記制御基板に取り付くための取付部を有することを特徴とする。【選択図】  図１０
2004230649.tif 000002
【特許請求の範囲】
【請求項１】
鉛直に配置され、画像記録装置の動作を制御する制御基板と、前記制御基板を装置背面側から覆うカバー部材と、を有する画像記録装置において、
前記制御基板における実装部の鉛直方向下方側全域には貫通長穴が設けられ、
前記カバー部材の底面には、前記貫通長穴を貫通して前記制御基板に取り付くための取付部を有することを特徴とする画像記録装置。
【請求項２】
記録材を搬送する搬送路上に鉛直に配置され、画像記録装置の動作を制御する制御基板と、前記制御基板を装置背面側から覆うカバー部材と、を有する画像記録装置において、
前記制御基板における実装部の鉛直方向下方側全域には貫通長穴が設けられ、
前記カバー部材の底面には、前記貫通長穴を貫通して前記制御基板に取り付くための取付部を有することを特徴とする画像記録装置。
【請求項３】
前記電気基板は、前記貫通長穴よりも下方側の領域にＧＮＤパターンを設けることを特徴とする請求項１又は２に記載の画像記録装置。
【請求項４】
前記制御基板において、特に高温を発生させる部品を限定した領域に実装させ、その限定された領域のみを前記カバー部材で覆うように取り付けて配置することを特徴とする請求項１乃至３のいずれかに記載の画像記録装置。
【請求項５】
前記カバー部材に、前記カバー部材の底面部の左右方向両端部にそれぞれ鉛直方向の立ち壁を設け、
前記電気基板に、前記電気基板の貫通穴部の左右方向両端部にそれぞれ鉛直方向に穴を広げ、前記カバー部材の立ち壁が前記電気基板の広げた穴部を貫通するように取り付けて配置することを特徴とする請求項１乃至４のいずれかに記載の画像記録装置。
【発明の詳細な説明】
【０００１】
【発明の属する技術分野】
本発明は、ファクシミリ、複写機、複合機、プリンタなどの画像記録装置に関するものである。
【０００２】
【従来の技術】
従来、図１３に示すように、画像読取部６０１に対して、下方に記録部６０２があり、記録部の後方に、装置全体を制御する主制御基板６０３、電源６０４さらにはファクシミリ装置の場合に必要な通信制御基板等が配置されている。また、記録部６０２の背面には記録系を制御する記録制御基板７０１が配置され、その後方に記録材を給送する給送手段が配置されている。
【０００３】
記録材の送り方向は矢印Ｈである。また、記録制御基板７０１と給送手段の間には、図１４に示すように、記録制御基板を背面からほぼ全体を覆うようにカバー部材７０２が配置されており、図１５の側面図に示すように、記録制御基板７０１とカバー部材７０２の下方端部には実装部品に接触させないように隙間Ｐを設けている。
【０００４】
【発明が解決しようとする課題】
しかしながら、従来の例では以下のような問題があった。まず、図１３のように、記録制御基板上に実装される部品が多い場合、それらを外部から直接触れられないように覆うためのカバー部材も大きくなる。このため、装置の小型化を図ることが困難であるという問題があった。
【０００５】
また、図１５のように、カバー部材と記録制御基板との下方側に隙間Ｐがあると、異物が落下した場合に、下方に配置されている記録材搬送路上に落下物が残る。このため、記録材搬送不良等を発生させる恐れが生じていた。
【０００６】
そこで本発明の目的は、カバー部材を小型化することである。また、異物が落下した場合でも記録材の搬送不良を起こさないことである。
【０００７】
【課題を解決するための手段】
上記目的を達成するための、本発明の代表的な構成は、鉛直に配置され、画像記録装置の動作を制御する制御基板と、前記制御基板を装置背面側から覆うカバー部材と、を有する画像記録装置において、前記制御基板における実装部の鉛直方向下方側全域には貫通長穴が設けられ、前記カバー部材の底面には、前記貫通長穴を貫通して前記制御基板に取り付くための取付部を有することを特徴とする。
【０００８】
【発明の実施の形態】
本発明に係る一実施形態である画像記録装置について説明する。本実施形態に係る画像記録装置を図に従って説明する。以下、本発明の実施形態を図面を参照しながら詳細に説明する。
【０００９】
図１は画像記録装置の前面からの斜視図であり、図２は画像記録装置の背面からの斜視図であり、図３は画像記録装置の全体断面図であり、図４はタイミングベルト及び中継基板の説明図であり、図５は記録ヘッド及びキャリッジの説明図であり、図６は画像記録装置の分解斜視図であり、図７及び図８は中継基板の説明図であり、図９及び図１２は中継基板と中継基板カバーの組立説明図である。
【００１０】
これらの図に基づいて、順を追って詳細に述べる。画像記録装置は、全面が図１、背面が図２に示すような外観である。図１及び図２に示すように、画像記録装置は、読取ユニットＢ、ミドルフレーム３４、ボトムカバー３３、操作カバー３６、操作下カバー３５、ロック解除ボタン３９等を有する。
【００１１】
図３において、Ａはインクジェット記録装置である記録ユニット（画像形成部）、Ｂは原稿を光学的に読み取る読取ユニット（画像読取部）、Ｃは積載された記録材を分離して記録ユニットに供給する給送ユニット、その他、装置全体を制御するための制御部、公衆電話回線等からのデータを接続する接続部、通信制御部、装置電源部、操作部等の電装部とからなる（Ｄは電話回線等からのデータを接続する接続部と装置電源部である）。図３において、記録ユニットＡと給送ユニットＣは、プリンタユニットとしてボトムカバー３３に取り付けられている。
【００１２】
（記録材の搬送手順）
まず、記録ユニットＡでの記録材の流れについての概略説明を行う。本実施形態では定形のカット紙を用いており、複数枚重ねてオートシートフィーダー１に収納される。オートシートフィーダー１はスライダ２によって記録材のサイズに合わせて記録材の側面をガイドできるように構成されている。
【００１３】
オートシートフィーダー１に収納積載された記録材は、給送ローラ３及び分離ローラ４によって１枚だけ分離搬送される。その後、搬送ローラ５と対向配置されたコロ６とで挟持搬送される。記録ヘッド１０の下流に位置し印字がなされた記録材を装置の下流に搬送する排出ローラ７（７ａ、７ｂ）、それぞれ排出ローラ７ａ、７ｂの対向側にあり、記録材の印字面に接触してもインクが転写されることの無い材質で構成された拍車８（８ａ、８ｂ）とから構成される。排出ローラ７ａ、７ｂと拍車８ａ、８ｂによって搬送された記録材は、装置本体の前部に設けられた記録材排出トレイ９上に排出される。
【００１４】
（画像読取部）
次に図を用いて画像読取部であるフラットベッドスキャナ（読取ユニットＢ）の説明を行う。図３に示すように、密着型イメージセンサ１１は、キャリッジ１２に支持され、副走査方向に平行なガイド軸１３に沿って移動可能である。キャリッジ１２の移動は不図示のモータから駆動を受けたタイミングベルト１５によって行われる。イメージセンサ１１は図示しない光源とレンズと光電変換素子を内蔵しており、原稿載置台としてのコンタクトガラス１６の裏面に一定の距離を保って移動する。読み取られた画像はフレキシブルケーブルにより本体画像処理部（システムコントロール基板２１）に電送される。
【００１５】
読取ユニットＢは装置奥部に回動中心１７を有し、矢印のＥ方向に回動可能に構成されている。読取ユニットＢを矢印Ｅ方向に回動することにより、後述する記録ヘッド１０の交換及びインクタンク３１の交換に要する空間が開放される。
【００１６】
（記録部の構成）
次に、本実施形態の記録ユニットＡの構成を詳細に説明する。図３乃至図５において、画像記録装置は、記録ヘッド１０を有する。記録ヘッド１０は、本実施形態ではインクタンク３１を別体とし、インクが無くなった時にはインクタンク３１のみ新品と交換し得るカートリッジ式のインクジェット記録ヘッドを搭載している。
【００１７】
図４及び図５に示すように、記録ヘッド１０を精度良く保持しながら記録材の搬送方向（副走査方向）とは直角方向、すなわち主走査方向に往復移動させるため、キャリッジ１８が配設される。キャリッジ１８は、ガイド棒と突き当て部（図示しない）により摺動自在に保持されている。
【００１８】
キャリッジ１８の往復動は、モータ１９によって駆動されるプーリ（図示しない）及びタイミングベルト２０によって行われ、この際に記録ヘッド１０に与える印字信号及び電力は、フレキシブルケーブル（図示しない）によって本体の電気回路より供給されている。記録ヘッド１０とフレキシブルケーブルとはお互いの接点を圧接して接続している。
【００１９】
（記録ヘッド）
本実施形態で用いる記録ヘッド１０は、ノズル内に設けた電気熱変換素子の発熱によってインク中に生じた膜沸騰の圧力によってノズル先端の吐出口よりインクを吐出するものである。
【００２０】
本発明における記録手段として本実施形態のインクジェット記録装置に用いられる記録ヘッドの吐出原理について説明する。インクジェット記録装置に適用される記録ヘッド部は、一般に微細な液体吐出口（オリフィス）、液路及びこの液路の一部に設けられるエネルギー作用部と、該作用部にある液体に作用させる液滴形成エネルギーを発生するエネルギー発生手段とを備え、交換可能である。
【００２１】
このようなエネルギーを発生するエネルギー発生手段としてはピエゾ素子等の電気機械変換体を用いたもの、レーザ等の電磁波を照射して、そこにある液体に吸収させて発熱させ、該発熱による作用で液滴を吐出、飛翔させるようにしたもの、あるいは電気熱変換体によって液体を加熱して液体を吐出させるようにしたもの等がある。その中でも熱エネルギーによって液体を吐出させるインクジェット記録方式に用いられる記録ヘッド部は、記録用の液滴を吐出して飛翔用液滴を形成するための液体吐出口（オリフィス）を高密度に配列することができるために高解像力の記録をすることが可能である。
【００２２】
また、電気熱変換体をエネルギー発生手段として用いた記録ヘッド部は、記録ヘッド部として全体的なコンパクト化も容易で、かつ、最近の半導体分野における技術の進歩と信頼性の向上が著しいＩＣ技術やマイクロ加工技術の長所を十二分に活用でき、長尺化及び面状化（２元化）が容易であること等から、マルチノズル化、高密度実装化が容易で、しかも大量に生産性よく、製造コストも安価なインクジェット記録用ヘッド部を提供することが可能である。
【００２３】
このようにエネルギー発生手段に電気熱変換体を用い、半導体製造プロセスを経て製造されたインクジェット用記録ヘッド部は、一般には各インク吐出口に対応した液路を設け、該液路ごとに該液路を満たす液体に熱エネルギーを作用させて、対応するインク吐出口から液体を吐出して飛翔用液滴を形成する手段としての電気熱変換体が設けられ、各液路には、各液路に連通している共通液室から液体が供給される構造となっている。
【００２４】
（電装部の構成）
次に本実施形態の電装部の構成を詳細に説明する。図６に示すように、電装部は主に装置全体のシステムと記録系を制御するシステムコントロール基板２１、主に回線との通信を制御するネットワークコントロール基板２３と、回線モジュラー基板２４と、装置に電源を供給する電源ユニット２６と、操作パネルのキーやＬＥＤを実装しているオペレーションコントロール基板２７と、主にコンパクトフラッシュ、コンパクトフラッシュｔｙｐｅＩＩ、スマートメディア、メモリースティック、ＳＤカード、マルチメディアカード等の各種メモリーカードのコネクタやＬＥＤを実装しているメモリーカード基板２８と、各種センサ等と高熱を発する各種モータドライバやコンデンサ等を実装してシステムコントロール基板２１へ中継する中継基板２９、３０（図７、図８、中継基板３０は図４参照）とからなる。
【００２５】
電装基板のレイアウトについて順に説明する。図６に示すように、システムコントロール基板２１は、記録ユニットＡの上方かつ読取ユニットＢの下方で装置左右方向の片側（本実施形態においては装置正面から見て右側）に配置され、ミドルフレーム３４に水平に取り付けられており、その上方をシステムコントロール基板カバー４１（図３参照）で覆っている。
【００２６】
これにより、記録ユニットＡ上方で装置左右方向中央部は記録部のインクカートリッジ（記録ヘッド１０）及びインクタンク３１を交換する空間的スペースを設けることができる。この空間的スペースを挟んでシステムコントロール基板２１と反対側の領域（本実施形態においては装置正面から見て左側）は読取ユニットＢの開閉時に必要なダンパ機構や保持機構（トーションバーやトーションバネ等）を設けている。
【００２７】
システムコントロール基板２１上には、その他の電装基板からの接続ケーブルコネクタ等の背の高い空間を必要とする部品を、比較的基板上の前後方向の端部に近い領域に実装する。また、本体装置全体のシステム制御やプリンタを制御するチップ及びメモリ等のチップやＲＯＭ等の背の低い部品を、基板上の中央部で、特に前述した記録ヘッド１０及びインクタンク３１の交換スペースのサイド領域に集中実装させている。これにより、システムコントロール基板カバー４１において、比較的背の低いチップ等が実装されている領域上を低く覆うことができる。このため、空間をさらに広げることが可能となり、記録ヘッド１０及びインクタンク３１の交換作業時における操作性を向上させることができる。
【００２８】
さらに基板２１上にはＵＳＢコネクタ２２（図３参照）が装置背面側でかつ給送ユニットＣの左右方向外側でＵＳＢケーブル（図示しない）と接続できるように実装されている。これにより、ＵＳＢケーブルを装置背面側のデッドスペースで処理できるとともに、比較的本体装置の上方にＵＳＢコネクタ２２が配置されているため、本体装置の背面を壁に密着させて設置させてもＵＳＢケーブルのコネクタへの接続を容易にすることができる。
【００２９】
また、システムコントロール基板２１上には読取ユニットＢからの画像データを電送するフレキシブルケーブルのコネクタが基板上の比較的背面側付近に実装されている。これにより、読取ユニットＢの回動中心１７と近いことからフレキシブルケーブルを最短の長さで形成できるとともに読取ユニットＢの開閉動作時でもフレキシブルケーブルのたわみや突っ張り等を防止できる。
【００３０】
（中継基板の構成）
記録ユニットＡ内に配設されている中継基板２９、３０について図７及び図８を用いて説明する。中継基板２９は装置背面部に配置されており、中継基板３０は給送ユニットＣの片側側面部（本実施形態においては本体正面から見て左側面側）に配置されている。両者の中継基板２９、３０は不図示のケーブルで接続されており、中継基板３０には主に読取ユニットＢからのモータケーブル（不図示）のコネクタが実装されている。
【００３１】
中継基板２９には主に記録ユニットＡや給送ユニットＣ内の各種モータからのケーブル（不図示）を接続するコネクタ類やモータドライバ、コンデンサ等の高温を発生させる部品が実装されている。また、給送ユニットＣ内で搬送された記録材の先端及び後端を検出するセンサ２５や、読取ユニットＢの開閉を検出するセンサ３２、及びその他の図示しないセンサケーブルのコネクタ類も実装されている。さらに中継基板２９とシステムコントロール基板２１をケーブルとフレキシブルケーブルで接続するコネクタ類が実装されている。
【００３２】
（中継基板カバー）
本発明では、中継基板２９のうち、高温を発生させる部品を実装させる領域をカバーするために、カバー部材としての中継基板カバー６７を配設する。この中継基板カバー６７周辺部品の取り付け構成とその役割について、図９乃至図１２を用いて説明する。
【００３３】
まず、中継基板２９をプリンタシャーシ６８の背面に取り付ける工程を説明する。図１０に示すように、中継基板２９をプリンタシャーシ６８に取り付ける際には、中継基板２９の実装部品面を背面側にして、締結部２９ａ〜２９ｃのネジ穴部を介して、プリンタシャーシ６８の締結部６８ａ〜６８ｃへ、それぞれネジ留めをする。これにより中継基板２９は、基板を鉛直方向に立てた状態でプリンタシャーシ６８に固定される。
【００３４】
次に、中継基板カバー６７を、中継基板２９に取り付ける工程を説明する。上述した状態で、図１０に示すように、中継基板カバー６７を中継基板２９の左右方向で、ほぼ中央部の領域２９ｈ（図１２参照）を覆うようにして背面から取り付ける。図１２において、領域２９ｋ及び領域２９ｌは、コネクタ類やセンサが実装されている。
【００３５】
このとき、図１１において、中継基板カバー６７の下方側面（底面）が、中継基板２９の穴部（貫通長穴）２９ｅの左右方向全域を貫通して取り付けられる。また、中継基板カバー６７の下方側面の一部で左右均等に設けられた３ヶ所のフック形状部６７ｊが、中継基板２９の穴部２９ｅの端部に引っ掛かって取り付けられ、奥行き方向の下方側が固定されている。
【００３６】
一方、中継基板カバー６７の上方側は、中継基板カバー６７の上方側ほぼ中央に設けられた締結部６７ｄのネジ穴部が、中継基板２９に設けられた締結部２９ｄのネジ穴部を介してプリンタシャーシ６８の締結部６８ｄに対して、ネジにより固定されている。カバーセンサレバー３７は中継基板カバー６７の背面部に設けられた回動軸部に回動自在に取り付けられている。（図９から図１１参照）。
【００３７】
このように前述したように、中継基板カバー６７により、中継基板２９の左右方向のほぼ中央の領域２９ｈを覆うことで、高温を発生させる部品をこの限定された領域２９ｈに集中実装させることが可能となる。このため、基板を覆う中継基板カバー６７の省スペース設計ができ、本体装置の小型化をすることができる。
【００３８】
また、高温を発生させる部品をカートリッジやインクタンク交換スペースに隣接したシステムコントロール基板２１内に実装させないことで、システムコントロール基板カバー４１が高温になるのを防止することができ、ユーザに対する安全性を向上させることができる。
【００３９】
さらに、本実施形態においては、中継基板２９の下方は、給送ユニットＣから搬送された記録材が通過する領域である。このため、中継基板２９からの落下物があっても、中継基板カバー６７の下面部（取付部）６７ｅが中継基板２９の穴部２９ｅを貫通していることから、その下面部６７ｅにて異物を受け取ることができる。これにより、記録材搬送不良等を防止させることができる。
【００４０】
また、中継基板カバー６７の下面部６７ｅの左右両端部６７ｆ及び６７ｇは、立ち壁形状（コの字形状）になっており、中継基板２９の穴部２９ｅの左右両端部２９ｆ及び２９ｇを貫通した構成になっている。このような構成によると、基板上から発生する異物が落下した場合でも、それらをカバー部材で受け止めるため、前述した落下物が振動等で中継基板カバー６７の下面部６７ｅの両端部から二重落下するのを防止することができる。こうして基板上の落下物が記録材搬送経路上に到達するのを防ぎ、記録材搬送不良等を防止することができる。
【００４１】
さらに、本実施形態においては、中継基板２４の穴部２９ｅに隣接し、かつ、中継基板カバー６７とは反対側（下方側）である基板外周部の領域２９ｉを設けて、この領域上に比較的幅の太いＧＮＤパターンを形成させる構成にしている。これは例えば、異物（実装物等）が発生することが無いＧＮＤパターンを領域２９ｈ上に設けて中継基板カバー６７で覆う構成にすると、その分だけ領域２９ｈの面積が大きくなり、中継基板カバー６７も大きくなってしまう。これに対して本実施形態においては、上記ような領域２９ｉを設ける構成にすれば、中継基板カバー６７をＧＮＤパターンを覆わずに設計できる。このため、中継基板２９上のＧＮＤパターンにおいて、基板を覆う中継基板カバー６７外の領域で、かつ基板最下位置に設けることが可能となり、カバーの小型化と記録材搬送時の静電対策をすることができる。
【００４２】
最後に、記録ユニットＡの下部に各電装基板を配置していないため、記録ユニットＡのインクジェット方式記録部からインクが流出しても電装類に接触することがない。
【００４３】
（他の実施形態）
前述した実施形態においては、制御手段としてのＣＰＵと接続され、ＣＰＵ内に作成された画像記録データを転送して画像記録を行うものが挙げられるが、これに限るものではなく、本発明の画像記録装置には、例えば複写機のように記録画像を読み取った後、その画像を記録するものも含まれるものとする。
【００４４】
【発明の効果】
以上のように、本発明においては、鉛直に配置され、画像記録装置の動作を制御する制御基板と、前記制御基板を装置背面側から覆うカバー部材と、を有する画像記録装置において、前記制御基板における実装部の鉛直方向下方側全域には貫通長穴が設けられ、前記カバー部材の底面には、前記貫通長穴を貫通して前記制御基板に取り付くための取付部を有することを特徴とする。このため、カバー部材を小型化することができ、また、異物が落下した場合でも記録材の搬送不良を起こさないことができる。
【図面の簡単な説明】
【図１】画像記録装置の前面からの斜視図である。
【図２】画像記録装置の背面からの斜視図である。
【図３】画像記録装置の全体断面図である。
【図４】タイミングベルト及び中継基板の説明図である。
【図５】記録ヘッド及びキャリッジの説明図である。
【図６】画像記録装置の分解斜視図である。
【図７】中継基板の説明図である。
【図８】中継基板の説明図である。
【図９】中継基板と中継基板カバーの組立説明図である。
【図１０】中継基板と中継基板カバーの組立説明図である。
【図１１】中継基板と中継基板カバーの組立説明図である。
【図１２】中継基板と中継基板カバーの組立説明図である。
【図１３】従来の画像記録装置の説明図である。
【図１４】従来の制御基板のカバー部材の説明図である。
【図１５】従来の制御基板のカバー部材の説明図である。
【符号の説明】
Ａ  …記録ユニット、Ｂ  …読取ユニット、Ｃ  …給送ユニット、
１  …オートシートフィーダー、２  …スライダ、３  …給送ローラ、
５  …搬送ローラ、６  …コロ、７  …排出ローラ、８  …拍車、
１０  …記録ヘッド、１１  …密着型イメージセンサ、１２  …キャリッジ、
１３  …ガイド軸、１５  …タイミングベルト、１６  …コンタクトガラス、
１７  …回動中心、１８  …キャリッジ、１９  …モータ、２０  …タイミングベルト、
２１  …システムコントロール基板、２２  …ＵＳＢコネクタ、
２３  …ネットワークコントロール基板、２４  …回線モジュラー基板、
２５  …センサ、２６  …電源ユニット、２７  …オペレーションコントロール基板、
２８  …メモリーカード基板、２９  …中継基板、２９ａ  …締結部、
２９ｂ  …締結部、２９ｃ  …締結部、２９ｄ  …締結部、２９ｅ  …穴部、
２９ｆ  …端部、２９ｇ  …端部、２９ｈ  …領域、２９ｉ  …領域、２９ｋ  …領域、
２９ｌ  …領域、３０  …中継基板、３１  …インクタンク、３２  …センサ、
３３  …ボトムカバー、３４  …ミドルフレーム、３５  …操作下カバー、
３６  …操作カバー、３７  …カバーセンサレバー、３９  …ロック解除ボタン、
４１  …システムコントロール基板カバー、６７  …中継基板カバー、
６７ｄ  …締結部、６７ｅ  …下面部、６７ｆ  …端部、６７ｇ  …端部、
６７ｊ  …フック形状部、６８  …プリンタシャーシ、６８ａ  …締結部、
６８ｂ  …締結部、６８ｃ  …締結部、６８ｄ  …締結部
【図１】
2004230649.tif 000003
【図２】
2004230649.tif 000004
【図３】
2004230649.tif 000005
【図４】
2004230649.tif 000006
【図５】
2004230649.tif 000007
【図６】
2004230649.tif 000008
【図７】
2004230649.tif 000009
【図８】
2004230649.tif 000010
【図９】
2004230649.tif 000011
【図１０】
2004230649.tif 000012
【図１１】
2004230649.tif 000013
【図１２】
2004230649.tif 000014
【図１３】
2004230649.tif 000015
【図１４】
2004230649.tif 000016
【図１５】
2004230649.tif 000017